(57)【特許請求の範囲】
【請求項１】
主体を含み、前記主体の中には作動空間が設置され、前記作動空間の中には支え台が固定的に連結され、前記支え台の中には中間空間が設置され、前記支え台の外周側には輸送台が回転できるように連結され、前記支え台には五つの輸送溝が形成され、五つの前記輸送溝の中には内コンベアベルトが設置され、前記主体の上方には上回転部品が回転できるように連結され、前記主体の周りには五つの料理受け取り口が設置され、五つの前記料理受け取り口の中には料理注文システムが設置され、前記主体の中には左方空間が設置され、前記左方空間の中にはメインモーターが固定的に連結され、前記主体の中には五つの右方空間が設置され、五つの前記右方空間の中には液圧装置が設置され、
前記メインモーターは前記上回転部品の回転を制御し、前記上回転部品の中に様々な出来上がった料理を保存し、店員さんは前記中間空間の中に立って働き、料理盛り付け溝の中の料理を皿に盛り付けてから前記輸送溝の中にある前記内コンベアベルトに置き、食事をするお客様は前記料理注文システムを利用して料理を注文し、注文し終わった後に、前記内コンベアベルトは移動することで料理を盛り付けた皿を前記輸送台に送り、前記輸送台が回転することで料理を盛り付けた皿を前記料理受け取り口に送り、その後、お客様はトレーを取っていき、
前記メインモーターには出力軸が伝動できるように連結され、前記出力軸にはメイン歯車が固定的に連結され、前記メイン歯車には前記輸送台と固定的に連結された下リングラックが噛み合い、前記メイン歯車には左歯車が噛み合い、前記左歯車には前記左方空間の内壁と回転できるように連結され、且つ前記主体の上方に伸びる左縦軸が固定的に連結され、
前記左縦軸には左上鎖歯車が固定的に連結され、前記左上鎖歯車には上チェーンが伝動できるように連結され、前記上チェーンには右上鎖歯車が伝動できるように連結され、前記右上鎖歯車には前記主体の上壁と回転できるように連結された上短軸が固定的に連結され、前記上短軸には上歯車が固定的に連結され、前記上歯車には前記上回転部品と固定的に連結された上リングラックが噛み合い、前記上回転部品の中には前記料理盛り付け溝が形成され、
前記作動空間には五つの開口が連通し、五つの前記開口の中には回転軸が回転できるように連結され、前記開口の下壁を前記輸送台の頂部と位置合わせ、前記回転軸にはスライドドアがスライドできるように連結され、前記開口と前記料理受け取り口とが連通し、前記料理受け取り口の中には前記スライドドアがスライドできるように連結され、前記スライドドアが前記右方空間の前方に設置されたスライド溝の中に伸び、且つ前記スライドドアにはプッシュ板が固定的に連結され、
前記プッシュ板には軸スリーブが回転できるように連結され、前記軸スリーブには左上歯車が固定的に連結され、前記軸スリーブが前記右方空間の下壁と固定的に連結された固定軸と回転できるように連結され、前記プッシュ板には前記液圧装置と伝動できるように連結された液圧軸が固定的に連結され、前記回転軸が前記右方空間の中に伸び、且つ前記回転軸には右上歯車と下歯車とが固定的に連結され、前記作動空間の内壁には赤外線センサーが固定的に連結され、前記料理受け取り口の上壁には小孔が設置され、
前記下歯車には後歯車が噛み合い、前記後歯車には前記右方空間の下壁と回転できるように連結された後縦軸が固定的に連結され、前記後縦軸の上端には下傘歯車が固定的に連結され、前記料理受け取り口の右側には中間孔が連通し、前記中間孔の右側には右回転空間が連通し、前記右回転空間の中には左内軸と右内軸とが回転できるように連結され、
前記左内軸と前記右内軸とにはそれぞれ前プーリと後プーリとが固定的に連結され、前記前プーリと前記後プーリとが右コンベアベルトによって伝動できるように連結され、前記左内軸には上傘歯車が固定的に連結され、前記上傘歯車が前記下傘歯車と噛み合い、前記右回転空間の上方には皿空間が設置され、
前記輸送溝の内壁には後横軸と前出力軸とが回転できるように連結され、前記後横軸と前記前出力軸とにはそれぞれ内プーリと外プーリとが固定的に連結され、前記内プーリと前記外プーリとが前記内コンベアベルトによって伝動できるように連結され、
前記支え台の中には五つの小空間が設置され、五つの前記小空間の中には内モーターが設置され、前記内モーターが前記前出力軸と伝動できるように連結されていることを特徴とする磁気ストライプカードによる決済に基づく料理の受け取りシステム。
【発明の詳細な説明】
【技術分野】
【０００１】
本発明は飲食業の設備分野に関わり、具体的には磁気ストライプカードによる決済に基づく料理の受け取りシステムである。
【背景技術】
【０００２】
大型レストランには、ファーストフードは種類が多くて大衆の口に合うため、人に人気あるものになる。しかし、食事時間帯に多くの店員さんが必要であり、時には多くの店員さんがいてもお客様の応対もできなく、こうして、労働力を浪費し、配分は適切ではない。大学に磁気ストライプカードを使う場合が多く、注文してからカードで決済するまで多すぎる時間をかけ、以上の問題を解決するため、磁気ストライプカードによる決済に基づく料理の受け取りシステムを発明する必要がある。
【先行技術文献】
【特許文献】
【０００３】
【特許文献１】中国特許出願公開第１０７２６４８７３号明細書
【発明の概要】
【発明が解決しようとする課題】
【０００４】
本発明は磁気ストライプカードによる決済に基づく料理の受け取りシステムを提供し、既存技術にある上記の欠点を解消することを目的とする。
【課題を解決するための手段】
【０００５】
本発明は技術問題を解決するために用いた技術プランは下記の通りである。本発明の磁気ストライプカードによる決済に基づく料理の受け取りシステムは、主体を含み、前記主体の中には作動空間が設置され、前記作動空間の中には支え台が固定的に連結され、前記支え台の中には中間空間が設置され、前記支え台の外周側には輸送台が回転できるように連結され、前記支え台には五つの輸送溝が形成され、五つの前記輸送溝の中には内コンベアベルトが設置され、前記主体の上方には上回転部品が回転できるように連結され、前記主体の周りには五つの料理受け取り口が設置され、五つの前記料理受け取り口の中には料理注文システムが設置され、前記主体の中には左方空間が設置され、前記左方空間の中にはメインモーターが固定的に連結され、前記主体の中には五つの右方空間が設置され、五つの前記右方空間の中には液圧装置が設置され、前記メインモーターは前記上回転部品の回転を制御し、前記上回転部品の中に様々な出来上がった料理を保存し、店員さんは前記中間空間の中に立って働き、料理盛り付け溝の中の料理を皿に盛り付けてから前記輸送溝の中にある前記内コンベアベルトに置き、食事をするお客様は前記料理注文システムを利用して料理を注文し、注文し終わった後に、前記内コンベアベルトは移動することで料理を盛り付けた皿を前記輸送台に送り、前記輸送台が回転することで料理を盛り付けた皿を前記料理受け取り口に送り、その後、お客様はトレーを取っていく。
【０００６】
さらに、前記メインモーターには出力軸が伝動できるように連結され、前記出力軸にはメイン歯車が固定的に連結され、前記メイン歯車には前記輸送台と固定的に連結された下リングラックが噛み合い、前記メイン歯車には左歯車が噛み合い、前記左歯車には前記左方空間の内壁と回転できるように連結され、且つ前記主体の上方に伸びる左縦軸が固定的に連結されている。
【０００７】
さらに、前記左縦軸には左上鎖歯車が固定的に連結され、前記左上鎖歯車には上チェーンが伝動できるように連結され、前記上チェーンには右上鎖歯車が伝動できるように連結され、前記右上鎖歯車には前記主体の上壁と回転できるように連結された上短軸が固定的に連結され、前記上短軸には上歯車が固定的に連結され、前記上歯車には前記上回転部品と固定的に連結された上リングラックが噛み合い、前記上回転部品の中には前記料理盛り付け溝が形成されている。
【０００８】
さらに、前記作動空間には五つの開口が連通し、五つの前記開口の中には回転軸が回転できるように連結され、前記開口の下壁を前記輸送台の頂部と位置合わせ、前記回転軸にはスライドドアがスライドできるように連結され、前記開口と前記料理受け取り口とが連通し、前記料理受け取り口の中には前記スライドドアがスライドできるように連結され、前記スライドドアが前記右方空間の前方に設置されたスライド溝の中に伸び、且つ前記スライドドアにはプッシュ板が固定的に連結されている。
【０００９】
さらに、前記プッシュ板には軸スリーブが回転できるように連結され、前記軸スリーブには左上歯車が固定的に連結され、前記軸スリーブが前記右方空間の下壁と固定的に連結された固定軸と回転できるように連結され、前記プッシュ板には前記液圧装置と伝動できるように連結された液圧軸が固定的に連結され、前記回転軸が前記右方空間の中に伸び、且つ前記回転軸には右上歯車と下歯車とが固定的に連結され、前記作動空間の内壁には赤外線センサーが固定的に連結され、前記料理受け取り口の上壁には小孔が設置されている。
【００１０】
さらに、前記下歯車には後歯車が噛み合い、前記後歯車には前記右方空間の下壁と回転できるように連結された後縦軸が固定的に連結され、前記後縦軸の上端には下傘歯車が固定的に連結され、前記料理受け取り口の右側には中間孔が連通し、前記中間孔の右側には右回転空間が連通し、前記右回転空間の中には左内軸と右内軸とが回転できるように連結されている。
【００１１】
さらに、前記左内軸と前記右内軸とにはそれぞれ前プーリと後プーリとが固定的に連結され、前記前プーリと前記後プーリとが右コンベアベルトによって伝動できるように連結され、前記左内軸には上傘歯車が固定的に連結され、前記上傘歯車が前記下傘歯車と噛み合い、前記右回転空間の上方には皿空間が設置されている。
【００１２】
さらに、前記輸送溝の内壁には後横軸と前出力軸とが回転できるように連結され、前記後横軸と前記前出力軸とにはそれぞれ内プーリと外プーリとが固定的に連結され、前記内プーリと前記外プーリとが前記内コンベアベルトによって伝動できるように連結されている。
【００１３】
さらに、前記支え台の中には五つの小空間が設置され、五つの前記小空間の中には内モーターが設置され、前記内モーターが前記前出力軸と伝動できるように連結されている。
【発明の効果】
【００１４】
本発明の有益な効果は：本発明は回転可能な輸送台を介して料理を指定の料理受け取り口に送り、そうして複数の料理受け取り口は料理を出すことに便利で、また店員さんは料理を皿に盛り付ける作業を省き、磁気ストライプカードによって自動的に決済する方法を利用して決済がかかった時間を省き、レジスタも要らなく、本発明はお客様に便利なサービスを提供するだけではなく、飲食業にとって労働力のコストを減らす。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の磁気ストライプカードによる決済に基づく料理の受け取りシステムの全体構成概略図
【図２】図２は図１におけるＡ―Ａ断面の構成概略図
【図３】図３は図２におけるＢ―Ｂ断面の構成概略図
【図４】図４は図１におけるＣの拡大構成概略図
【図５】図５は図２におけるＤの拡大構成概略図
【発明を実施するための形態】
【００１７】
本発明は磁気ストライプカードによる決済に基づく料理の受け取りシステムに関わり、主にレストランで料理を受け取るシステムに応用される。
【００１８】
本発明の磁気ストライプカードによる決済に基づく料理の受け取りシステムは、主体１０を含み、前記主体１０の中には作動空間２４が設置され、前記作動空間２４の中には支え台１３が固定的に連結され、前記支え台１３の中には中間空間１２が設置され、前記支え台１３の外周側には輸送台１１が回転できるように連結され、前記支え台１３には五つの輸送溝６２が形成され、五つの前記輸送溝６２の中には内コンベアベルト１４が設置され、前記主体１０の上方には上回転部品３１が回転できるように連結され、前記主体１０の周りには五つの料理受け取り口１７が設置され、五つの前記料理受け取り口１７の中には料理注文システム６５が設置され、前記主体１０の中には左方空間２３が設置され、前記左方空間２３の中にはメインモーター３６が固定的に連結され、前記主体１０の中には五つの右方空間５０が設置され、五つの前記右方空間５０の中には液圧装置４６が設置され、前記メインモーター３６は前記上回転部品３１の回転を制御し、前記上回転部品３１の中に様々な出来上がった料理を保存し、店員さんは前記中間空間１２の中に立って働き、料理盛り付け溝３２の中の料理を皿に盛り付けてから前記輸送溝６２の中にある前記内コンベアベルト１４に置き、食事をするお客様は前記料理注文システム６５を利用して料理を注文し、注文し終わった後に、前記内コンベアベルト１４は移動することで料理を盛り付けた皿を前記輸送台１１に送り、前記輸送台１１が回転することで料理を盛り付けた皿を前記料理受け取り口１７に送り、その後、お客様はトレーを取っていく。
【００１９】
好ましくは、前記メインモーター３６には出力軸３５が伝動できるように連結され、前記出力軸３５にはメイン歯車３４が固定的に連結され、前記メイン歯車３４には前記輸送台１１と固定的に連結された下リングラック３７が噛み合い、前記メイン歯車３４には左歯車３３が噛み合い、前記左歯車３３には前記左方空間２３の内壁と回転できるように連結され、且つ前記主体１０の上方に伸びる左縦軸２５が固定的に連結されている。
【００２０】
好ましくは、前記左縦軸２５には左上鎖歯車２６が固定的に連結され、前記左上鎖歯車２６には上チェーン２７が伝動できるように連結され、前記上チェーン２７には右上鎖歯車２８が伝動できるように連結され、前記右上鎖歯車２８には前記主体１０の上壁と回転できるように連結された上短軸３０が固定的に連結され、前記上短軸３０には上歯車２９が固定的に連結され、前記上歯車２９には前記上回転部品３１と固定的に連結された上リングラック３８が噛み合い、前記上回転部品３１の中には前記料理盛り付け溝３２が形成されている。
【００２１】
好ましくは、前記作動空間２４には五つの開口１５が連通し、五つの前記開口１５の中には回転軸１６が回転できるように連結され、前記開口１５の下壁を前記輸送台１１の頂部と位置合わせ、前記回転軸１６にはスライドドア１８がスライドできるように連結され、前記開口１５と前記料理受け取り口１７とが連通し、前記料理受け取り口１７の中には前記スライドドア１８がスライドできるように連結され、前記スライドドア１８が前記右方空間５０の前方に設置されたスライド溝４５の中に伸び、且つ前記スライドドア１８にはプッシュ板４３が固定的に連結されている。
【００２２】
好ましくは、前記プッシュ板４３には軸スリーブ４７が回転できるように連結され、前記軸スリーブ４７には左上歯車４２が固定的に連結され、前記軸スリーブ４７が前記右方空間５０の下壁と固定的に連結された固定軸４９と回転できるように連結され、前記プッシュ板４３には前記液圧装置４６と伝動できるように連結された液圧軸４４が固定的に連結され、前記回転軸１６が前記右方空間５０の中に伸び、且つ前記回転軸１６には右上歯車４１と下歯車４８とが固定的に連結され、前記作動空間２４の内壁には赤外線センサー６６が固定的に連結され、前記料理受け取り口１７の上壁には小孔３９が設置されている。
【００２３】
好ましくは、前記下歯車４８には後歯車５７が噛み合い、前記後歯車５７には前記右方空間５０の下壁と回転できるように連結された後縦軸５６が固定的に連結され、前記後縦軸５６の上端には下傘歯車５５が固定的に連結され、前記料理受け取り口１７の右側には中間孔４０が連通し、前記中間孔４０の右側には右回転空間２２が連通し、前記右回転空間２２の中には左内軸１９と右内軸２０とが回転できるように連結されている。
【００２４】
好ましくは、前記左内軸１９と前記右内軸２０とにはそれぞれ前プーリ５３と後プーリ５２とが固定的に連結され、前記前プーリ５３と前記後プーリ５２とが右コンベアベルト２１によって伝動できるように連結され、前記左内軸１９には上傘歯車５４が固定的に連結され、前記上傘歯車５４が前記下傘歯車５５と噛み合い、前記右回転空間２２の上方には皿空間５１が設置されている。
【００２５】
好ましくは、前記輸送溝６２の内壁には後横軸６３と前出力軸６０とが回転できるように連結され、前記後横軸６３と前記前出力軸６０とにはそれぞれ内プーリ６４と外プーリ６１とが固定的に連結され、前記内プーリ６４と前記外プーリ６１とが前記内コンベアベルト１４によって伝動できるように連結されている。
【００２６】
好ましくは、前記支え台１３の中には五つの小空間５８が設置され、五つの前記小空間５８の中には内モーター５９が設置され、前記内モーター５９が前記前出力軸６０と伝動できるように連結されている。
【００２７】
以下、図１〜５をあわせて本発明の磁気ストライプカードによる決済に基づく料理の受け取りシステムの使用ステップについて詳しく説明する。
【００２８】
１．お客様は食事をする時に、前記料理注文システム６５で料理を選び、注文し終わった後に前記料理注文システム６５に対応した前記内モーター５９を作動させ、それによって前記内モーター５９が前記内コンベアベルト１４を駆動して移動させ、それによって前記内コンベアベルト１４にある皿を駆動して前記輸送台１１に移動させ、それと同時に前記メインモーター３６を作動させ、中間伝動を通じて前記輸送台１１を駆動して回転させる。
【００２９】
２．皿が前記赤外線センサー６６の位置に達した時に、前記液圧装置４６を作動させ、前記液圧軸４４が上方に移動し、中間伝動を通じて前記左上歯車４２と前記右上歯車４１とを前記下リングラック３７と噛み合わせ、それによって前記回転軸１６を駆動して回転させ、前記スライドドア１８を駆動して回転させ、同時に前記下歯車４８を駆動して回転させ、中間伝動を通じて前記右コンベアベルト２１を駆動して移動させ、前記右コンベアベルト２１を駆動して前記中間孔４０を経由して前記料理受け取り口１７の中に達する。
【００３０】
３．同時に前記スライドドア１８が回転することで皿を連動させて前記料理受け取り口１７の中にあるトレーの中に移動させ、その後、前記液圧装置４６を作動させ、それによって前記液圧軸４４を下方に移動させ、前記スライドドア１８を駆動して下方に移動させ、お客様は前記料理受け取り口１７でトレーを取って行き、複数の皿があればすべての皿がトレーに送られた後にトレーを取っていい。
【００３１】
４．前記上回転部品３１が回転する時に店員さんは少なくなる料理を加えることができ、こうして回転可能な装置を介して店員さんは料理を加える時に輸送台１１を回す力を省く。
【００３２】
本発明の有益な効果は：本発明は回転可能な輸送台を介して料理を指定の料理受け取り口に送り、そうして複数の料理受け取り口は料理を出すことに便利で、また店員さんは料理を皿に盛り付ける作業を省き、磁気ストライプカードによって自動的に決済する方法を利用して決済がかかった時間を省き、レジスタも要らなく、本発明はお客様に便利なサービスを提供するだけではなく、飲食業にとって労働力のコストを減らす。
【００３３】
上記の方式によって、当業者は本発明の範囲内で作動モードに基づいて様々な変わりを行える。
【図１】
0006883164.tif 000002
【図２】
0006883164.tif 000003
【図３】
0006883164.tif 000004
【図４】
0006883164.tif 000005
【図５】
0006883164.tif 000006